(57)【要約】      （修正有）【課題】構成が簡易でありコンパクトで携帯に便利で、使用に際しては串抜き作業が効率的にでき、さらにアクセサリーとしても使用できる焼き鳥の串抜き器を提供する。【解決手段】間隙を有して固定した表面板１１と背面板１３とからなる収納部１０と、串の挿入部２２と串抜き部２３を備え収納部１０の内部に収納可能なプレート２１とからなる。収納部１０とプレート２１にそれぞれ取付孔１７、２７を穿設し、これらの取付孔をチェーン３０で連結して、プレート２１を収納部１０の間隙に出し入れ自在に取り付けた。【選択図】図１
0003159774.tif 000002
【実用新案登録請求の範囲】
【請求項１】
串に刺した焼き鳥から串を抜くための串抜き部を備えたプレートと、前記プレートを収納可能な収納部とからなり、
前記収納部を所定の間隙を有して固定した表面板と背面板によって構成し、
前記プレートを連結手段を用いて前記収納部の間隙に出入り自在に収納部に取り付けた焼き鳥の串抜き器。
【請求項２】
串に刺した焼き鳥から串を抜くための串抜き部を下部に構成し、上部に取付孔を穿設し、一側部につまみを構成したプレートと、前記プレートを収納可能な収納部とからなり、
前記収納部を、上部に取付孔を穿設し一側部に湾曲部を構成した表面板と、上部に取付孔を穿設した背面板とを所定の間隙を有して固定して構成し、
前記プレートと表面板と背面板の各取付孔に連結手段を取り付けて、前記プレートを前記収納部の間隙に出入り自在に収納部に取り付けた焼き鳥の串抜き器。
【請求項３】
前記連結手段を各取付孔に挿通したチェーンによって構成したことを特徴とする請求項２記載の焼き鳥の串抜き器。
【考案の詳細な説明】
【技術分野】
【０００１】
本考案は、焼き鳥を食べる際に使用する、焼き鳥の串抜き器に関するものである。
【背景技術】
【０００２】
焼き鳥は串に刺して焼かれて料理として提供される。食べ方としては、串を手に持ち焼き鳥を口にくわえて串から外して食べているが、この食べ方は特に女性には敬遠されている。またこの食べ方は１本の焼き鳥全部を一人の人が食べることになる。
そのため、予めすべての焼き鳥を串から外して、各自が箸を使用して好みの焼き鳥を少しずつ食べることが広く行われている。このような場合に使用される焼き鳥の串抜き具が特許文献１として提案されている。
【先行技術文献】
【特許文献】
【０００３】
【特許文献１】特開平１１−２８５４３５号公報
【０００４】
この発明は、握り（１）の先端に湾曲した板（２）を設け、この板（２）の下中央部に串差込み口（３）を設けた焼き鳥の串抜き具である。
この発明を使用するときは、焼き鳥の串の手元部分に湾曲した板（２）の串差込み口（３）の部分に串を入れ、握り（１）の部分を持って焼き鳥の串を引抜く。この発明は焼き鳥の串が取れて串が口に刺さる事がなく、焼き鳥のタレが口元につく煩わしさがなくなる等の効果を有している。
【考案の概要】
【考案が解決しようとする課題】
【０００５】
上記特許文献１の発明では、握り（１）が長く板（２）が常時露出しているため持ち運びに不便であり使いにくく、さらに使用しないときには置き場所を探さなくてはならないという問題点もあった。
【課題を解決するための手段】
【０００６】
本考案の要旨とするところは、串に刺した焼き鳥から串を抜くための串抜き部を備えたプレートと、前記プレートを収納可能な収納部とからなり、前記収納部を所定の間隙を有して固定した表面板と背面板によって構成し、前記プレートを連結手段を用いて前記収納部の間隙に出入り自在に収納部に取り付けた焼き鳥の串抜き器である。
【０００７】
また、本考案の要旨とするところは、串に刺した焼き鳥から串を抜くための串抜き部を下部に構成し上部に取付孔を穿設し一側部につまみを構成したプレートと、前記プレートを収納可能な収納部とからなり、前記収納部を、上部に取付孔を穿設し一側部に湾曲部を構成した表面板と、上部に取付孔を穿設した背面板とを所定の間隙を有して固定して構成し、前記プレートと表面板と背面板の各取付孔に連結手段を取り付けて、前記プレートを前記収納部の間隙に出入り自在に収納部に取り付けた焼き鳥の串抜き器である。
【０００８】
また、本考案の要旨とするところは、前記連結手段を各取付孔に挿通したチェーンによって構成した焼き鳥の串抜き器である。
【考案の効果】
【０００９】
請求項１に記載の考案は構成が簡易であり、プレートを収納部内に収納できるため、収納時にはコンパクトとなり携帯に便利であり、かつ収納部がプレートを保護すると共に、使用後はプレートに付着した脂やタレなどが衣服などに付くことを防止できる。
また、使用に際してはプレートを掴んで手元で力を加えて串を抜くから、串抜き作業が効率良くできる。
【００１０】
請求項２に記載の考案は、上記請求項１記載の効果に加えて、プレートを取付孔を中心に回動させて収納部の間隙より出し入れできるためプレートを効率よく使用することができる。
【００１１】
請求項３に記載の考案は、上記請求項２記載の効果に加えて、収納部とプレートのそれぞれの取付孔をチェーンで連結したから、アクセサリーとしても使用できる。
【図面の簡単な説明】
【００１２】
【図１】本考案の一実施形態の分解斜視図
【図２】本考案の一実施形態の正面図
【図３】本考案の一実施形態の使用状態を示す正面図
【図４】本考案の一実施形態の使用状態を示す側面図
【図５】本考案の一実施形態の他例の分解斜視図
【考案を実施するための形態】
【００１３】
本考案の実施形態は、上部に連結手段であるチェーンを取り付けるための取付孔１７を穿設し、一側部に湾曲部１２を構成した表面板１１と、上部に取付孔１８を穿設した背面板１３とを重ねて配置してそれらの一側部と下部を固定して、所定の間隙１４を有する収納部を構成する。
一方、上部に取付孔２７を穿設し、下部に串の挿入部２２と串抜き部２３を連続して構成し、前記収納部１０の内部に収納可能な形状、大きさのプレート２１を構成する。
そして、前記表面板１１と背面板１３とプレート２１のそれぞれ取付孔１７、１８、２７を連結手段であるチェーン３０で連結してプレート２１を収納部１０の間隙１４に出し入れ自在に取り付けた焼き鳥の串抜き器である。
以下図面に基づいてその内容を説明する。
【００１４】
前記収納部１０は、表面板１１と背面板１３とからなり、この表面板１１と背面板１３を重ねて配置して、プレート２１が出入り可能な間隙１４を構成して、一側部（図１左側）と下端を固定してある。
【００１５】
前記表面板１１は、提灯の形状をしていて、上方に取付孔１７を穿設し、他側部（図１右側）の下方に湾曲部１２を構成している。この湾曲部１２はプレート２１のつまみ２６との干渉を避けるために設けてある。また、裏面に凹部１９を構成してある。
【００１６】
前記背面板１３は、湾曲部１２と凹部１９を除いて前記表面板１１と同一形状であり、上方に孔１８を穿設してある。
【００１７】
前記プレート２１は、上部に取付孔２７を穿設してあり、この取付孔２７は前記収納部の取付孔１７、１８と合致する位置にある。また一側部（図１右側）につまみ２６を設けている。
そして、下端部を上方に向かって逆Ｌ字型に切欠いて、串の挿入部２２と串抜き部２３を構成する。この串抜き部２３には、串３１を固定するために湾曲した串当て部２４が構成されている。
図中２５は突起であり、前記表面板１１の裏面に構成した凹部１９と嵌合してプレート２１の収納部１０内での収納状態を安定させる。
【００１８】
次に上記のように構成した本実施形態の作用を説明する。
まずプレート２１を収納部１０の間隙１４に挿入して、収納部１０の取付孔１７、１８とプレート２１の取付孔２７をチェーン３０で連結する（図１参照）。このとき突起２５は表面板１１の凹部１９に嵌合しているため、プレート２１は安定した状態で収納部１０内に収納される（図２参照）。これによってプレート２１は、取付孔２７を中心に回動しながら、収納部１０内部の間隙１４に出し入れ自在に収納された状態となる。
この状態でアクセアリーやストラップとして携帯できる。
【００１９】
本実施形態を使用して焼き鳥の串を抜く方法を説明する。
図３に示すように、プレート２１をつまみ２６を持って矢印Ａ方向に回動させて間隙１４より取り出す。このとき、表面板１１と背面板１３は互いの一側部（図１左側）と下端を固定してあるだけなので、間隙１４の上部と他側部は開口しているのでプレート２１は上方に回動できるのである。
その後、焼き鳥３２，３２・・を刺した串３１を、串の挿入部２２から串抜き部２３に挿入する。
【００２０】
そして図４に示すように、プレート２１を指で掴んで、焼き鳥３２をプレート２１に当てて、串３１を串当て部２４に当てながら矢印Ｂ方向へ引いて焼き鳥３２から串３１を抜いていく。
このようにプレート２１を使用して串３１から焼き鳥３２を効率よく外すことができる。使用後は、プレート２１を収納部１０の間隙１４に収納すればよい。
【００２１】
上述のように本実施形態の焼き鳥の串抜き器は、携帯に便利であり、使用に際しても効率よく正確に焼き鳥を抜くことができ、使用後の収納場所もとらないというメリットがある。また衛生上にも優れていて、アクセサリーとしても利用でき、さらに収納部の形状を美観に優れたのもとし、表面に店名などを記載すれば宣伝効果も有するのである。
【００２２】
図５に示すものは、本実施形態の他例であり、前記取付孔１７、１８、２７に連結手段であるリング４０を嵌めて、プレート２１を収納部１０に回動自在に取り付けたものである。
この例ではプレート２１がリング４０によって収納部１０に安定して支持されるから、前記突起２５と凹部１９は必要としないのである。その他の構成、作用、効果は前記実施形態と同様のため説明を省略する。
【産業上の利用可能性】
【００２３】
本考案は、焼き鳥の串を手際よく確実に抜くことができるため、焼き鳥を食するときに便利であり、またアクセサリーや宣伝媒体としても利用できるものである。
【符号の説明】
【００２４】
１０  収納部
１１  表面板
１２  湾曲部
１３  背面板
１４  間隙
１７  取付孔
１８  取付孔
１９  凹部
２１  プレート
２２  串の挿入部
２３  串抜き部
２４  串当て部
２５  突起
２７  取付孔
３０  チェーン（連結手段）
３１  串
３２  焼き鳥
４０  リング（連結手段）
【図１】
0003159774.tif 000003
【図２】
0003159774.tif 000004
【図３】
0003159774.tif 000005
【図４】
0003159774.tif 000006
【図５】
0003159774.tif 000007
【手続補正書】
【提出日】平成22年3月15日(2010.3.15)
【手続補正１】
【補正対象書類名】明細書
【補正対象項目名】００１３
【補正方法】変更
【補正の内容】
【００１３】
本考案の実施形態は、上部に連結手段であるチェーンを取り付けるための取付孔１７を穿設し、一側部に湾曲部１２を構成した表面板１１と、上部に取付孔１８を穿設した背面板１３とを重ねて配置して前記一側部と反対側の他側部と下部を固定して、所定の間隙１４を有する収納部を構成する。
一方、上部に取付孔２７を穿設し、下部に串の挿入部２２と串抜き部２３を連続して構成し、前記収納部１０の内部に収納可能な形状、大きさのプレート２１を構成する。
そして、前記表面板１１と背面板１３とプレート２１のそれぞれ取付孔１７、１８、２７を連結手段であるチェーン３０で連結してプレート２１を収納部１０の間隙１４に出し入れ自在に取り付けた焼き鳥の串抜き器である。
以下図面に基づいてその内容を説明する。
【手続補正２】
【補正対象書類名】明細書
【補正対象項目名】００１４
【補正方法】変更
【補正の内容】
【００１４】
前記収納部１０は、表面板１１と背面板１３とからなり、この表面板１１と背面板１３を重ねて配置して、プレート２１が出入り可能な間隙１４を構成して、他側部（図１左側）と下端を固定してある。
【手続補正３】
【補正対象書類名】明細書
【補正対象項目名】００１５
【補正方法】変更
【補正の内容】
【００１５】
前記表面板１１は、提灯の形状をしていて、上方に取付孔１７を穿設し、一側部（図１右側）の下方に湾曲部１２を構成している。この湾曲部１２はプレート２１のつまみ２６との干渉を避けるために設けてある。また、裏面に凹部１９を構成してある。
【手続補正４】
【補正対象書類名】明細書
【補正対象項目名】００１９
【補正方法】変更
【補正の内容】
【００１９】
本実施形態を使用して焼き鳥の串を抜く方法を説明する。
図３に示すように、プレート２１をつまみ２６を持って矢印Ａ方向に回動させて間隙１４より取り出す。このとき、表面板１１と背面板１３は互いの他側部（図１左側）と下端を固定してあるだけなので、間隙１４の上部と一側部は開口しているのでプレート２１は上方に回動できるのである。
その後、焼き鳥３２，３２・・を刺した串３１を、串の挿入部２２から串抜き部２３に挿入する。